(57)【要約】【課題】軒樋の省略を実現でき、コンパクトで美観に優れる建築物を構築し易い屋根構造及び導水板を提供すること。【解決手段】建築物の上側に配置される屋根構造１が、軒棟方向に直交する直交方向に略延在する１以上の突条部２１、突条部２１よりも軒棟方向の棟側に位置する平坦部３１を有し、雨水を直交方向の外側に案内する１以上の導水板２０、軒棟方向の軒側の軒側端部１４が平坦部３１の上側に配置される１以上の屋根材１０、及び導水板２０によって直交方向の外側に案内された雨水を軒棟方向の軒側に案内する通路を備える。【選択図】図４
2020165185.tif 000002
【特許請求の範囲】
【請求項１】
建築物の上側に配置される屋根構造において、
軒棟方向に直交する直交方向に略延在する１以上の突条部、及び前記突条部よりも前記軒棟方向の棟側に位置する平坦部を有し、雨水を前記直交方向の外側に案内する１以上の導水板と、
前記軒棟方向の軒側の軒側端部が前記平坦部の上側に配置される１以上の屋根材と、
前記導水板によって前記直交方向の外側に案内された前記雨水を前記軒棟方向の軒側に案内する通路と、
を備える屋根構造。
【請求項２】
前記導水板が、前記軒棟方向の棟側に開口する凹部を前記軒棟方向の軒側端部に有し、
前記軒棟方向の軒側端部が前記凹部に収容される１以上の下側屋根材を更に備え、
前記導水板が、前記下側屋根材を覆うように配置され、
複数の前記屋根材を備え、
【請求項３】
複数の導水板を備え、
前記複数の導水板は、前記軒棟方向の軒側端が前記軒棟方向に互いに間隔をおいて位置するように配置される、請求項１又は２に記載の屋根構造。
【請求項４】
前記複数の導水板が、前記軒棟方向に間隔をおいて位置する複数の前記突条部を含む軒側導水板と、軒側端が前記軒側導水板の軒側端よりも前記軒側方向の棟側に位置すると共に前記軒棟方向に間隔をおいて位置する複数の前記突条部を含む棟側導水板とを含み、
前記棟側導水板の前記平坦部の上面の法線方向を第１法線方向とするとき、前記棟側導水板の前記複数の突条部に関して、前記突条部の前記第１法線方向の高さは、前記突条部が前記軒棟方向の軒側に配置されるにしたがって高くなり、
前記軒側導水板の前記平坦部の上面の法線方向を第２法線方向とするとき、前記軒側導水板の前記複数の突条部に関して、前記突条部の前記第２法線方向の高さは、略一定になっている、請求項３に記載の屋根構造。
【請求項５】
前記各導水板が、鉛直方向の上側から見たときに外部に露出すると共に前記１以上の突条部を含む外部露出部を含み、
前記鉛直方向の上側から見たときに、前記直交方向の各位置において前記軒棟方向に隣り合う前記外部露出部の間の部分が１つの前記屋根材の一部で覆われている、請求項３又は４に記載の屋根構造。
【請求項６】
複数の導水板が、下側導水板と、軒側端が前記下側導水板の軒側端よりも前記軒棟方向の棟側に位置する上側導水板とを含み、
前記上側導水板の前記１以上の突条部における前記直交方向の一方側の端が、前記下側導水板の前記１以上の突条部における前記直交方向の一方側の端よりも前記直交方向の他方側に位置する、請求項３乃至５のいずれか１つに記載の屋根構造。
【請求項７】
１以上の屋根面の軒側端部上に設けられた１以上の導水板と、
軒側端部が前記導水板に重ねられた１以上の屋根材と、
を備え、
前記導水板は、雨水を前記屋根材の側方に導水可能である、屋根構造。
【請求項８】
前記導水板が、前記屋根面の側端部まで延びる１以上の突条部と、該突条部よりも棟側にある平坦部と、を有し、
前記屋根材の軒側端部が前記平坦部に重ねられた、請求項７に記載の屋根構造。
【請求項９】
前記１以上の屋根面のうちの少なくとも１つの屋根面において、２以上の前記導水板が併設された、請求項７又は８に記載の屋根構造。
【請求項１０】
建築物の上側に位置する屋根構造に含まれる導水板であって、
前記屋根構造に設置されている状態において、
軒棟方向に直交する直交方向に略延在する１以上の突条部と、
前記突条部よりも前記軒棟方向の棟側に位置する平坦部と、を備え、
前記平坦部の前記棟側の少なくとも一部が、屋根材の下に配置される、導水板。
【請求項１１】
上面を有するベース、及びその上面から前記平坦部の上面の法線方向に突出する複数の前記突条部を有し、
前記屋根構造に設置されている状態において、
前記複数の突条部に関して、前記突条部が前記軒棟方向の軒側に位置するにしたがって前記突条部における前記法線方向の高さが高くなる、請求項１０に記載の導水板。
【発明の詳細な説明】
【技術分野】
【０００１】
本開示は、建築物の屋根構造、及びそれに含まれる導水板に関する。
【背景技術】
【０００２】
従来、屋根構造としては、特許文献１に記載されているものがある。この屋根構造は、屋根本体と、軒樋を備え、屋根本体は、棟から軒に行くにしたがって下側に移動するように水平面に対して傾斜する。また、軒樋は、軒に沿うように屋根本体の軒先外側に配置される。軒樋は、屋根本体の上面を軒側に流れる雨水等を集めて地上又は下水に導くために設けられる。
【先行技術文献】
【特許文献】
【０００３】
【特許文献１】特開２０００−８５５９号公報
【発明の概要】
【発明が解決しようとする課題】
【０００４】
軒樋を省略できれば、建築物を、スタイリッシュで美観に優れるものにでき、コンパクトに構成できる。そこで、本開示の目的は、軒樋の省略を実現でき、コンパクトで美観に優れる建築物を構築し易い屋根構造及び導水板を提供することにある。
【課題を解決するための手段】
【０００５】
上記課題を解決するため、本開示に係る屋根構造は、建築物の上側に配置される屋根構造において、軒棟方向に直交する直交方向に略延在する１以上の突条部、及び突条部よりも軒棟方向の棟側に位置する平坦部を有し、雨水を直交方向の外側に案内する１以上の導水板と、軒棟方向の軒側の軒側端部が平坦部の上側に配置される１以上の屋根材と、導水板によって直交方向の外側に案内された雨水を軒棟方向の軒側に案内する通路と、を備える。
【０００６】
また、本開示に係る屋根構造は、１以上の屋根面の軒側端部上に設けられた１以上の導水板と、軒側端部が導水板に重ねられた１以上の屋根材と、を備え、導水板は、雨水を屋根材の側方に導水可能である。
【０００７】
また、本開示に係る導水板は、建築物の上側に位置する屋根構造に含まれる導水板であって、屋根構造に設置されている状態において、軒棟方向に直交する直交方向に略延在する１以上の突条部と、突条部よりも軒棟方向の棟側に位置する平坦部と、を備え、平坦部の棟側の少なくとも一部が、屋根材の下に配置される。
【発明の効果】
【０００８】
本開示に係る屋根構造及び導水板によれば、軒樋の省略を実現でき、コンパクトで美観に優れる建築物を構築できる。
【図面の簡単な説明】
【０００９】
【図１】家屋の一部を示す斜視図であり、本開示の第１実施形態に係る屋根構造の一部の部分模式斜視図である。
【図２】上記屋根構造における軒側の一部の拡大斜視図である。
【図３】図２のＡ−Ａ線模式断面図である。
【図４】図３の一部を詳細に示す拡大断面図である。
【図５】上記屋根構造に適切に設置されている状態の棟側導水板における軒棟方向と鉛直方向とを含む切断面における模式断面図である。
【図６】上記屋根構造に適切に設置されている状態の軒側導水板における軒棟方向と鉛直方向とを含む切断面における模式断面図である。
【図７】上記屋根構造に含まれるけらば水切りの斜視図である。
【図８】上記屋根構造を流下する雨水の流れについて説明する図である。
【図９】変形例の屋根構造における図４に対応する断面図である。
【図１０】変形例の導水板における、軒棟方向と図示しない平坦部の上面の法線方向とを含む模式断面図である。
【図１１】家屋の一部を示す斜視図であり、第２実施形態に係る屋根構造の一部の部分模式斜視図である。
【図１２】第２実施形態の変形例の屋根構造における図１１に対応する斜視図である。
【発明を実施するための形態】
【００１０】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、図面において、Ｘ方向は、軒棟方向を示し、Ｙ方向は、直交方向を示し、Ｚ方向は、鉛直方向を示す。直交方向は、軒棟方向に直交する方向であって、屋根下地材の上面に含まれる。また、以下の実施例では、図面において同一構成に同一符号を付し、重複する説明を省略する。また、複数の図面には、模式図が含まれ、異なる図間において、各部材における、縦、横、高さの寸法比は、必ずしも一致しない。また、以下では、屋根構造が、家屋の屋根構造である場合について説明するが、屋根構造は、如何なる建築物の屋根構造でもよい。また、本開示は、以下に説明する実施形態およびその変形例に限定されるものではなく、本願の特許請求の範囲に記載された事項およびその均等な範囲において種々の改良や変更が可能であることは言うまでもない。
【００１１】
（第１実施形態）
図１は、建築物の一例としての家屋５の一部を示す斜視図であり、本開示の第１実施形態に係る屋根構造１の一部の部分模式斜視図である。また、図２は、屋根構造１における軒側の一部の拡大斜視図である。図１に示すように、屋根構造１は、屋根下地材、複数の屋根材１０、及び複数の導水板２０を備える。屋根材１０及び導水板２０は、直交方向に関して、例えば、隣り合うように複数配置される。また、図２に示すように、各導水板２０は、複数の突条部２１を含む。複数の突条部２１は、軒棟方向に互いに間隔をおいて配置され、各突条部２１は、直交方向に延在する。
【００１２】
図２に示すように、屋根構造１は、けらば水切り５０を更に備える。けらば水切り５０は、屋根構造１の直交方向の端部に配置される。けらば水切り５０は、側面視が矩形状の板状部５１を含み、板状部５１は、鉛直方向に突出すると共に軒棟方向に延在する。各導水板２０は、板状部５１に対して直交方向に間隔をおいて配置される。導水板２０と板状部５１の間には、雨水を下方に流すための通路３が設けられる。通路３は、屋根材１０の上面等で構成されて棟から軒先まで軒棟方向に延在する。
【００１３】
図３は、図２のＡ−Ａ線模式断面図であり、図４は、図３の一部を詳細に示す拡大断面図である。図３に示すように、屋根材１０及び導水板２０の夫々は、屋根下地材１５上に配置され、屋根下地材１５に固定される。屋根下地材１５は、例えば、野地板で構成される。また、屋根材１０は、如何なる屋根材でもよいが、例えば、セメントで構成される平板状のスレート、陶器で構成される平板状の瓦、又は金属製の瓦等で好適に構成される。また、導水板２０は、如何なる材料で構成されてもよいが、好ましくは金属材料で構成される。
【００１４】
鉛直方向上側から屋根構造１を見下ろしたとき、各導水板２０は、外部に露出する外部露出部２２を有し、外部露出部２２は、複数の突条部（全ての突条部）２１を含む。また、そのように屋根構造１を見たとき、各屋根材１０も、外部に露出する外部露出部１１を含む。鉛直方向上側から屋根構造１を見下ろしたとき、導水板２０の外部露出部２２と、屋根材１０の外部露出部１１とは、軒棟方向に交互に配置されている。換言すると、鉛直方向上側から屋根構造１を見下ろしたとき、直交方向の各位置において軒棟方向に隣り合う導水板２０の外部露出部２２の間の部分は、１つの屋根材１０の外部露出部１１で覆われている。
【００１５】
次に、屋根下地材１５に対する屋根材１０と導水板２０の固定構造について説明する。図４に示すように、各導水板２０は、下側屋根材１０ａを覆うように配置される。詳しくは、導水板２０は、軒棟方向の棟側に開口する凹部２３を軒棟方向の軒側端部に有する。導水板２０には直交方向に細長い矩形板状のベース２０ａがあり、このベース２０ａの軒側端が下方に一旦折り曲げられてさらに棟側に折り曲げられて断面コ字状をなし、棟側に開口する凹部２３が形成されている。下側屋根材１０ａの軒棟方向の軒側端部１２が凹部２３に収容される。換言すれば、屋根構造１は、軒棟方向の軒側端部１２が凹部２３に収容される下側屋根材１０ａを備える。下側屋根材１０ａにおいてそれに隣り合う軒側の屋根材１０ｂの棟側端部よりも棟側に位置する棟側箇所１７は、下側屋根材１０ａに隣り合う棟側の屋根材１０ｃに覆われる。棟側箇所１７が釘７で屋根下地材１５に固定されることで、下側屋根材１０ａが屋根下地材１５に取り付けられる。
【００１６】
また、各導水板２０は、それが覆う下側屋根材１０ａよりも長い軒棟方向寸法を有し、軒棟方向に関して、下側屋根材１０ａの全ての領域を覆っている。このことから、各導水板２０の上側に配置された屋根材同士の取付箇所から雨水が入っても各導水板２０の表面を伝って軒側に排水可能である。各導水板２０の軒棟方向の棟側端部２５は、下側屋根材１０ａよりも棟側に位置する。棟側端部２５は、屈曲して屋根下地材１５に接している。棟側端部２５を、釘８で屋根下地材１５に固定することで、導水板２０が屋根下地材１５に取り付けられる。
【００１７】
再度、図３を参照して、屋根構造１が含む複数の導水板２０は、棟側導水板３０と、軒側導水板３５とを含み、棟側導水板３０と、軒側導水板３５は、複数の突条部２１の構造が互いに異なる。次に、それらの突条部２１の構造について説明する。なお、軒側導水板３５は、全ての導水板２０のうちで最も軒側に配置される。また、棟側導水板３０は、軒側導水板３５よりも軒棟方向の棟側に配置される。より正確には、棟側導水板３０の軒側端３０ａは、軒側導水板３５の軒側端３５ａよりも軒棟方向の棟側に位置する。
【００１８】
図５は、屋根構造１に適切に設置されている状態の棟側導水板３０における軒棟方向と鉛直方向とを含む切断面における模式断面図である。また、図６は、屋根構造１に適切に設置されている状態の軒側導水板３５における軒棟方向と軒棟方向とを含む切断面における模式断面図である。
【００１９】
図５に示すように、棟側導水板３０は、軒棟方向に間隔をおいて位置する複数の突条部２１を含み、各突条部２１は、直交方向に延在する。突条部２１は、ベース３３から垂直に上方に延び且つ直交方向に細長い矩形板状をなす。また、棟側導水板３０は、複数の突条部２１よりも軒棟方向の棟側に位置する平坦部３１を有する。図３に示すように、一つの屋根材１０の軒棟方向の軒側端部１４は、平坦部３１の上側に配置される。図５に示すように、棟側導水板３０の外部露出部２２（図３も参照）は、略平面で構成される上面３２を有するベース３３を含み、各突条部２１は、ベース３３から矢印Ｒ１で示す平坦部３１の上面３４の法線方向（以下、Ｒ１方向という）に突出する。
【００２０】
棟側導水板３０の複数の突条部２１に関して、突条部２１のＲ１方向の高さは、突条部２１が軒棟方向の軒側に配置されるにしたがって高くなっている。このことから、ベース２０ａと軒棟方向に隣り合う突条部２１とで囲まれるスペースで雨水が一時的に貯水され、このように軒側ほど突条部２１が高くなることで軒側ほど貯水容量が大きくなり、より多くの雨水を一時貯水して直交方向外側に流すことが可能になる。また、棟側導水板３０の複数の突条部２１に関して、突条部２１の上端の鉛直方向の高さは、突条部２１が軒棟方向の軒側に配置されるにしたがって低くなっている。
【００２１】
一方、図６に示すように、軒側導水板３５も、軒棟方向に間隔をおいて位置する複数の突条部２１を含み、各突条部２１は、直交方向に延在する。また、軒側導水板３５も、複数の突条部２１よりも軒棟方向の棟側に位置する平坦部３６を有する。また、図３に示すように、一つの屋根材１０の軒棟方向の軒側端部１４は、平坦部３６の上側に配置される。また、図６に示すように、軒側導水板３５の外部露出部２２（図３参照）も、略平面で構成される上面３７を有するベース３８を含み、各突条部２１は、ベース３８から矢印Ｒ２で示す平坦部３６の上面３９の法線方向（以下、Ｒ２方向という）に突出する。軒側導水板３５の複数の突条部２１に関して、突条部２１のＲ２方向の高さは、略一定になっている。軒側導水板３５の突条部２１のＲ２方向の高さは、如何なる高さでもよいが、棟側導水板３０の複数の突条部２１のうちでＲ１方向の高さが最も高い最も軒側に位置する突条部２１ａ（図５参照）におけるＲ１方向の高さ以上の高さを有すると好ましい。
【００２２】
次に屋根構造１における雨水の流れについて説明する。再度、図２を参照して、屋根構造１は、上述のように、けらば水切り５０を備える。図７は、けらば水切り５０の斜視図である。けらば水切り５０は、例えば、一体の金属板を折り曲げ加工して形成される。詳述しないが、けらば水切り５０は、鉛直方向に延在する上述の板状部５１の他に、第１カバー部５２と、第２カバー部５３を有する。上述のように、けらば水切り５０は板状部５１が鉛直方向に突出すると共に軒棟方向に延在するように屋根下地材１５の直交方向の端部に取り付けられる。
【００２３】
けらば水切り５０が、屋根下地材１５に取り付けられた状態で、第１カバー部５２は、屋根下地材１５の直交方向の一端部を覆うようになっている。第１カバー部５２は、屋根構造１の美観を優れたものする役割等を担う。また、第２カバー部５３は、板状部５１の下端部に接続され、直交方向の他方側に開口する凹部５４を有する。この凹部５４には、屋根材１０の直交方向の一端部が差し込まれる。第２カバー部５３は、その下側端部に直交方向の中央側に延在して屋根下地材１５上に載置される下側板部５５を有する。下側板部５５には、軒棟方向に延在する複数の突条部５６が設けられ、複数の突条部５６は、直交方向に互いに間隔をおいて配置される。凹部５４の内面と屋根材１０との間に浸入した雨水が、直交方向の中央側に移動すると、雨漏りの原因になる虞がある。突条部５６は、凹部５４の内面と屋根材１０との間に浸入した雨水が直交方向の中央側に移動することを抑制するために設けられる。
【００２４】
雨水は、例えば、図８に矢印βに示す経路で屋根構造１の上面上を流下する。詳しくは、降雨によって棟側から軒側に軒棟方向に流下して棟側導水板３０に到達した雨水は、雨量に基づいて棟側導水板３０の突条部２１を１つも乗り越えないか、又はＲ１方向高さ（図５参照）が低い順に１以上の突条部２１を乗り越える。例えば、図８には、雨水の一部が上側から２つの突条部２１を乗り越える場合が図示されている。この場合、雨水の一部は、最も棟側の突条部２１における棟側の側面で内外方向の端側に案内されて、上述の通路３に到達する。また、他の雨水の一部は、最も棟側の突条部２１を乗り超え、棟側から数えて２番目の突条部２１における棟側の側面で内外方向の端側に案内されて、上述の通路３に到達する。また、更なる他の雨水の一部は、棟側から数えて２つの突条部２１を乗り越え、棟側から数えて３番目の突条部２１における棟側の側面で内外方向の端側に案内されて、上述の通路３に到達する。そして、異なる３つのルートを通って通路３に到達した雨水は、軒棟方向に延在する通路３を軒側に流下する。
【００２５】
図８に示すように、家屋は、例えば、建物の軒先側の壁部６０に取り付けられた集水桝６１と、集水桝６１の下側端部に接続された竪樋６２を備える。集水桝６１は、その集水口６４の直交方向の存在範囲が通路３の直交方向の存在範囲を含むように壁部６０に取り付けられる。このため、雨水は、通路３に沿って流下して通路３の軒側の端に到達した後に集水口６４に効率良く流入する。集水口６４から集水桝６１内に流入した雨水は、竪樋６２を通過した後、地上又は下水の方に流れるようになっている。また、板状部５１が、通路３の直交方向の端側の側面を画定し、鉛直方向に突出すると共に軒棟方向に延在している。したがって、雨水が豪雨時等に突条部２１の側面を高速で伝って通路３側に勢い良く飛び出したとしても、板状部５１に衝突して通路３側にはね返される。よって、通路３側に勢い良く飛び出した雨水が、家屋の外部にそのまま飛散することを効果的に抑制できる。
【００２６】
以上、屋根構造１は、家屋（建築物）５の上側に配置される。また、屋根構造１は、軒棟方向に直交する直交方向に略延在する１以上の突条部２１、及び突条部２１よりも軒棟方向の棟側に位置する平坦部３１,３６を有する１以上の導水板２０,３０,３５と、軒棟方向の軒側の軒側端部１４が平坦部３１,３６の上側に配置される１以上の屋根材１０,１０ｂ,１０ｃと、を備える。
【００２７】
したがって、導水板２０が、直交方向に延在する突条部２１を備えるので、軒棟方向に下側に流れる雨水を突条部２１で堰き止めることができ、堰き止めた雨水を、突条部２１を伝わせるように直交方向に流すことができ、雨水を屋根構造１の一方側の側方端部に集めることができる。そして、一方側の側方端部に集めた雨水を、一方側の側方端部に設けた通路３、集水桝６１、及び竪樋６２を介して下側に導くことができる。よって、突条部２１に軒樋の役割を担わせることができるので、軒樋を省略することができ、家屋５を、スタイリッシュで美観に優れるものにでき、コンパクトに構成できる。
【００２８】
また、導水板２０が、軒棟方向の棟側に開口する凹部２３を軒棟方向の軒側端部に有してもよい。また、屋根構造１が、軒棟方向の軒側端部１２が凹部２３に収容される１以上の下側屋根材１０ａを更に備えてもよい。そして、導水板２０が、下側屋根材１０ａを覆うように配置されてもよい。
【００２９】
本構成によれば、導水板２０が、雨漏りを防止するために設けられる既存の屋根材１０を覆うように配置され、既存の屋根材１０を用いて設置される。よって、雨漏りを防止する屋根材１０,１０ａ,１０ｂ,１０ｃの構造及び配置を殆ど変更しなくてもよいので、導水板２０を設けることで雨漏りが生じる可能性を小さくできる。また、導水板２０を既存の屋根材１０ａを用いて簡単安価に設置できる。
【００３０】
また、屋根構造１は、複数の導水板２０を備えてもよい。そして、複数の導水板２０は、軒棟方向の軒側端が軒棟方向に互いに間隔をおいて位置するように配置されてもよい。
【００３１】
本構成によれば、導水板２０の１以上の突条部２１を、軒棟方向に複数段に亘って設けることができる。よって、大雨が降った場合でも、雨水が軒棟方向に流下することを効果的に抑制でき、軒先から外部に飛散することを効果的に抑制できる。
【００３２】
また、複数の導水板２０が、軒棟方向に間隔をおいて位置する複数の突条部２１を含む軒側導水板３５と、軒側端が軒側導水板３５の軒側端よりも軒棟方向の棟側に位置すると共に軒棟方向に間隔をおいて位置する複数の突条部２１を含む棟側導水板３０とを含んでもよい。また、棟側導水板３０の平坦部３１の上面３４の法線方向をＲ１方向（第１法線方向）とするとき、棟側導水板３０の複数の突条部２１に関して、突条部２１のＲ１方向の高さは、突条部２１が軒棟方向の軒側に配置されるにしたがって高くなってもよい。また、軒側導水板３５の平坦部３６の上面３９の法線方向を第２法線方向（Ｒ２方向）とするとき、軒側導水板３５の複数の突条部２１に関して、突条部２１のＲ２方向の高さは、略一定になっていてもよい。
【００３３】
本構成によれば、棟側導水板３０の複数の突条部２１に関して、突条部２１のＲ１方向の高さが、突条部２１が軒棟方向の軒側に配置されるにしたがって高くなっている。したがって、隣り合う突条部２１間のスペースで収容しきれなくなって、その突条部２１を乗り越えて軒側にこぼれた雨水は、その突条部２１よりも１つ軒側の突条部２１を通過することがなく、その１つ軒側の突条部２１で確実に堰き止められる。よって、棟側導水板３０により多くの雨水を溜めることができるので、大量の雨水が一気に集水桝６１に流れ込むことを抑制でき、雨水が集水桝６１からこぼれることを抑制できる。
【００３４】
また、軒側導水板３５の複数の突条部２１に関して、突条部２１のＲ２方向の高さが略一定高さとなっているので、その複数の突条部２１の棟側で溜めることが可能な雨水の容量を大きくできる。したがって、例えば、集中豪雨が発生して、大量の雨水が棟側導水板３０の複数の突条部２１を乗り越えて軒棟方向に流下して、軒側導水板３５に到達したとしても、その大量の雨水が軒先から外部に飛散することを効果的に抑制できる。
【００３５】
更には、棟側導水板３０の複数の突条部２１に関して、突条部２１の先端における鉛直方向の高さが、突条部２１が軒側に配置されるにしたがって低くなっていてもよい。この場合、突条部２１の鉛直方向高さが軒側に行くにしたがって高くなっていることを目立ちにくくできるので、棟側導水板３０の美観を良好なものにできる。更には、軒先が、厚く見えず、スマートに見え、軒先の美観も良好なものにできる。
【００３６】
また、各導水板２０が、鉛直方向の上側から見たときに外部に露出すると共に１以上の突条部２１を含む外部露出部２２を含んでもよい。また、鉛直方向上側から見たときに、直交方向の各位置において軒棟方向に隣り合う外部露出部２２の間の部分が屋根材１０の外部露出部２２（１つの屋根材１０の一部）で覆われてもよい。
【００３７】
導水板２０は、例えば、押出加工で形成されるが、導水板２０の平坦部３１の厚さが薄いと金属加工が容易となって好ましい。
【００３８】
このような背景において、軒棟方向に隣り合う外部露出部２２の間の部分が屋根材１０の外部露出部２２で覆われる構成では、図４に示すように、導水板２０の平坦部３１を二つの屋根材１０の間に配置できる。したがって、例えば、屋根材として、ある程度の厚さを有する屋根材、例えばセメント製で平板状のスレート等が採用されて、導水板２０の平坦部３１の厚さが屋根材１０の厚さよりも薄い場合に、厚さが薄い平坦部３１で二つの屋根材１０の間を効果的に塞ぐことができ、二つの屋根材１０の隙間を小さくできる。よって、雨水が二つの屋根材１０の隙間を介して屋根材１０の下側に回り込むのを抑制でき、雨漏りを効果的に抑制できる。
【００３９】
また、導水板２０は、家屋５の上側に位置する屋根構造１に含まれる。また、屋根構造１に設置されている状態において、導水板２０は、直交方向に略延在する１以上の突条部２１と、突条部２１よりも軒棟方向の棟側に位置する平坦部３１,３６と、を備える。また、屋根構造１に設置されている状態において、平坦部３１,３６の棟側の少なくとも一部が、屋根材１０,１０ｂ,１０ｃの下に配置される。
【００４０】
本開示の導水板２０を用いれば、突条部２１に軒樋の役割を担わせることができるので、軒樋を省略することができ、家屋５を、スタイリッシュで美観に優れるものにでき、コンパクトに構成できる。
【００４１】
また、導水板２０は、上面３２を有するベース３３、及びその上面３２から平坦部３１の上面３４の法線方向（Ｒ１方向）に突出する複数の突条部２１を有してもよい。また、屋根構造１に設置されている状態において、複数の突条部２１に関して、突条部２１が軒棟方向の軒側に位置するにしたがって突条部２１におけるＲ１方向の高さが高くなってもよい。
【００４２】
本構成によれば、導水板２０により多くの雨水を通路３に流すことができるので、大量の雨水が一気に集水桝６１に流れ込むことを抑制でき、雨水が集水桝６１からこぼれることを抑制できる。また、導水板２０の美観も優れたものにできる。
【００４３】
なお、本開示の屋根構造は、次のように特徴づけられることもできる。すなわち、屋根構造１は、１以上の屋根面の軒側端部上に設けられた１以上の導水板２０と、軒側端部が導水板２０に重ねられた１以上の屋根材１０と、を備え、導水板２０は、雨水を屋根材１０の側方に導水可能である。また、導水板２０は、屋根面の側端部まで延びる１以上の突条部２１と、突条部２１よりも棟側にある平坦部３１,３６と、を有してもよく、屋根材１０の軒側端部が平坦部３１,３６に重ねられてもよい。また、上記１以上の屋根面のうちの少なくとも１つの屋根面において、２以上の導水板２０が併設されてもよい。
【００４４】
また、第１実施形態では、導水板２０が凹部２３を有して、下側屋根材１０ａの軒側端部１２が凹部２３に収容され、導水板２０が、１つの下側屋根材１０ａの軒棟方向の全域を覆うように配置される場合について説明した。しかし、図９、すなわち、変形例の屋根構造１０１における図４に対応する断面図に示すように、導水板１２０が、１つの屋根材１１０の軒棟方向の全域を覆うように配置されなくてもよい。そして、図９に示すように、屋根材１１０と導水板１２０との比較において、導水板１２０がその平坦部１３５の上面１３６の法線方向Ｒ３に突出して直交方向に延在する１以上の突条部１２１を軒棟方向の軒側に有する点が異なる構造を有してもよい。そして、屋根構造１０１が、１つも導水板１２０を有さない屋根構造における複数の屋根材１１０のうちの１以上の屋根材１１０を１以上の導水板１２０に取り換えることで構成されてもよい。
【００４５】
また、図５及び図６に示すように、突条部２１が、平板状のベース３３,３８から平坦部３１,３６の上面３４,３９の法線方向（Ｒ１方向,Ｒ２方向）に延在する場合について説明した。しかし、図１０、すなわち、変形例の導水板２２０における、軒棟方向と図示しない平坦部の上面の法線方向Ｒ４とを含む模式断面図に示すように、突条部２２１が、２箇所の屈曲部２３０ａ,２３０ｂを有して略矩形状のスペース２４０の３方向を画定する一体の屈曲板部で構成されてもよい。詳しくは、突条部２２１が、軒側壁部２４１、上側板部２４２、及び棟側壁部２４３を有してもよい。軒側壁部２４１は、上面２５０を含む底側板部２５１の軒棟方向の棟側端部からＲ４方向に延在してもよい。
【００４６】
また、上側板部２４２は、軒側壁部２４１の上端部から軒棟方向の棟側に延在し、棟側壁部２４３は、上側板部２４２の軒棟方向の棟側端部からＲ４方向下側に延在してもよい。また、棟側壁部２４３のＲ４方向の下側端部は、底側板部２５１の軒棟方向の軒側端部に繋がってもよい。底側板部２５１の底面２５５は、例えば、野地板の上面上に配置される。突条部２２１を、２箇所の屈曲部２３０ａ,２３０ｂを有する屈曲板部で構成することで、突条部２２１の剛性を大きくでき、外力が作用しても突条部２２１が破損しにくいようにできる。
【００４７】
また、念のため述べるが、導水板が備える突条部の数は、１以上の如何なる数でもよい。また、導水板が複数の突条部を有する場合、その各突条部の高さは、他の突条部の高さと無関係に独立に決定されることができ、各突条部の高さは、如何なる高さでもよい。また、鉛直方向上側から見たとき、導水板２０と屋根材１０が軒棟方向に関して交互に配置される場合について説明した。しかし、鉛直方向上側から見たとき、屋根構造が、２つの導水板が軒棟方向に関して隣り合うように配置される部分を有してもよい。また、屋根構造において、導水板が軒棟方向に関して１段にしか設けられない構成でもよく、この場合、導水板を最も軒側に設けるのが好ましい。
【００４８】
（第２実施形態）
図１１は、建築物の一例としての家屋３０５の一部を示す斜視図であり、第２実施形態に係る屋根構造３０１の一部の部分模式斜視図である。なお、第２実施形態では、第１実施形態と同一の構成には第１実施形態と同一の参照番号を付して説明を省略する。また、第２実施形態では、第１実施形態と同様の作用効果及び変形例についての説明を省略する。
【００４９】
第２実施形態では、導水板３２０が雨水を通過させるための通路３０３を有する点が、第１実施形態で説明した導水板２０,３０,３５と異なる。詳しくは、屋根構造３０１は、直交方向の端部を含む部分に配置される導水板３２０を備える。また、導水板３２０は、１以上の突条部３２１と、装飾部３７０を有し、装飾部３７０は、１以上の突条部３２１よりも直交方向の端側に位置し、直交方向の端部に配置される。装飾部３７０は、１以上の突条部３２１に対して直交方向に間隔をおいて配置されている。
【００５０】
１以上の突条部３２１の直交方向における装飾部３７０側の端の直交方向位置は、全て略同じ位置となっている。装飾部３７０も、１以上の突条部３２１と同じ数の１以上の突条部３２５を有し、１以上の突条部３２１と１以上の突条部３２５は、直交方向から見たとき重なる位置に配置されている。各突条部３２１とそれに直交方向に重なる突条部３２５は、同じ方向に延在し、高さも同一となっている。また、装飾部３７０における突条部３２５側の端は、軒棟方向に延在している。このことから、１以上の突条部３２１と、装飾部３７０との直交方向の間には、軒棟方向に延在する通路３０３が設けられている。
【００５１】
装飾部３７０の１以上の突条部３２５は、１以上の突条部３２１と次の点が異なっている。すなわち、１以上の突条部３２１が、直交方向の装飾部３７０側が開口されているのに対し、装飾部３７０の１以上の突条部３２５は、直交方向の突条部３２１側の端が、平板部３２７で塞がれている。このことから、突条部３２１の棟側の側面に沿って直交方向に案内された雨水が、通路３０３を介して軒棟方向下側に流下できるのに対し、突条部３２５の棟側の側面で堰き止められた雨水は、通路３０３側に流れることができず、家屋３０５の端から外部に飛散するようになっている。装飾部３７０は、屋根構造３０１の直交方向端部のみに配置されるので、装飾部３７０の突条部３２５を伝って外部に飛散する雨水の量は少量に留まり、人がその飛散で悪影響を受けることは殆どない。よって、装飾部３７０は、主に直交方向の外側から屋根構造３０１を見たときの美観を良好なものにするために設けられる。
【００５２】
図１１にγで示す経路は、屋根構造３０１上を流れる雨水の流下経路の一例である。この例に示すように、いずれかの突条部３２１の棟側の側面を伝って通路３０３に到達した雨水は、通路３０３上を流下し、その後、集水桝３６１、及び竪樋３６２を通過して、地上又は下水側に流れる。屋根構造３０１は、第１実施形態の屋根構造１と異なって、けらば水切り５０を有さない。よって、施工が容易なものになって、製造コストも低減し易い。
【００５３】
図１２は、第２実施形態の変形例の屋根構造４０１における図１１に対応する斜視図である。図１２に示すように、屋根構造４０１は、複数の導水板４２０,４２５を備え、複数の導水板４２０,４２５は、下側導水板４２５と、軒側端が下側導水板４２５の軒側端よりも軒棟方向の棟側に位置する上側導水板４２０とを含む。屋根構造４０１では、上側の上側導水板４２０における１以上の突条部４２１の直交方向長さが、下側の下側導水板４２５における１以上の突条部４２１の直交方向長さよりも短くなっている。換言すると、上側導水板４２０の１以上の突条部４２１における直交方向の一方側の端４６１が、下側導水板４２５の１以上の突条部４２１における直交方向の一方側の端４６２よりも直交方向の他方側に位置している。
【００５４】
屋根構造４０１によれば、上側導水板４２０の突条部４２１における直交方向の一方側の端４６１が、下側導水板４２５の突条部４２１における直交方向の一方側の端４６２よりも直交方向の他方側に位置している。したがって、図１２にδで示す雨水の流下経路のように、雨水は、屋根構造４０１上の軒棟方向の棟側において、より直交方向の中央側を流れ易くなる。よって、雨水が、屋根構造４０１の直交方向の一方側の端から外部に飛散することを効果的に抑制できる。なお、図１２に示すように、上側導水板４２０は、装飾部３７０を有している。しかし、上側導水板４２０との比較において装飾部３７０が存在しない点のみが異なる上側導水板を、上側導水板４２０の代わりに配置することもできる。
【符号の説明】
【００５５】
１,１０１,３０１,４０１  屋根構造、  ３,３０３  通路、  ５,３０５  家屋、  １０,１０ｂ,１０ｃ,１１０  屋根材、  １０ａ  下側屋根材、１２  下側屋根材の軒側端部、  １４  屋根材の軒側端部、  ２０,１２０,２２０,３２０  導水板、  ２１,２１ａ,１２１,２２１,３２１,３２５,４２１  突条部、  ２２  外部露出部、  ２３  凹部、  ３０  棟側導水板、  ３１,３６,１３５  平坦部、  ２０ａ,３３,３８  ベース、  ３５  軒側導水板、  ３５ａ  軒側端、  ４２０  上側導水板、  ４２５  下側導水板、  Ｒ１方向,Ｒ２方向,Ｒ３方向,Ｒ４方向  平坦部の上面の法線方向。
【図１】
2020165185.tif 000003
【図２】
2020165185.tif 000004
【図３】
2020165185.tif 000005
【図４】
2020165185.tif 000006
【図５】
2020165185.tif 000007
【図６】
2020165185.tif 000008
【図７】
2020165185.tif 000009
【図８】
2020165185.tif 000010
【図９】
2020165185.tif 000011
【図１０】
2020165185.tif 000012
【図１１】
2020165185.tif 000013
【図１２】
2020165185.tif 000014